(57)【要約】【課題】コンタクトの塑性変形を抑制することができるコネクタを提供する。【解決手段】ハウジング３のコンタクト収容孔３１１にほぼＳ字状のコンタクト５を収容する。コンタクト収容孔３１１はハウジング３の厚さ方向に沿って貫通するようにハウジング３に形成されている。コンタクト５は固定部５１と固定部５１を介して連結される第１、第２湾曲部５３，５４とを有する。固定部５１の板厚方向はハウジング３の厚さ方向に対して直交する。第１湾曲部の一端部に形成された折返し部分５３１を、固定部５１を通るハウジング３の厚さ方向Ｔと平行な仮想平面Ｓの一方の側に位置する第１領域Ａに配置し、第１湾曲部５３の他端部に形成された第１接点５３２を、仮想平面Ｓの他方の側に位置する第２領域Ｂに配置し、第２湾曲部５４の一端部に形成された折返し部分５４１を、第２領域Ｂに配置し、第２湾曲部の他端部に形成された第２接点５４２を、第１領域Ａに配置した。【選択図】図６
2014222677.tif 000002
【特許請求の範囲】
【請求項１】
第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、
前記コンタクトは、前記ハウジングに固定される板状の固定部と、この固定部を介して連結される第１、第２湾曲部とを有し、
前記固定部の板厚方向が前記ハウジングの厚さ方向に対して直交し、
前記第１湾曲部の一端部が折り曲げられて前記固定部の一端に連なり、前記第１湾曲部の他端部が前記コンタクト収容孔の一方の開口から突出し、前記第２湾曲部の一端部が折り曲げられて前記固定部の他端に連なり、前記第２湾曲部の他端部が前記コンタクト収容孔の他方の開口から突出し、
前記第１湾曲部の一端部が、前記固定部を通り、前記ハウジングの厚さ方向と平行で、前記固定部の板厚方向に対して直交する仮想平面の一方の側に位置する第１領域に配置されるとともに前記コンタクト収容孔の他方の開口側の端部に位置し、前記第１湾曲部の他端部が、前記仮想平面の他方の側に位置する第２領域に配置され、
前記第２湾曲部の一端部が、前記第２領域に配置されるとともに前記コンタクト収容孔の一方の開口側の端部に位置し、前記第２湾曲部の他端部が、前記第１領域に配置されている
ことを特徴とするコネクタ。
【請求項２】
前記第１湾曲部の他端部が前記第１の接続対象物によって前記コンタクト収容孔側へ押し込まれたときその他端部を受け容れる第１受容部が前記ハウジングに形成され、
前記第２湾曲部の他端部が前記第２の接続対象物によって前記コンタクト収容孔側へ押し込まれたときその他端部を受け容れる第２受容部が前記ハウジングに形成されている
ことを特徴とする請求項１記載のコネクタ。
【請求項３】
前記第１、第２湾曲部の他端部がそれぞれ円弧状に形成されていることを特徴とする請求項１又は２記載のコネクタ。
【請求項４】
第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、
前記コンタクトは、前記コンタクトの幅方向とそれに直交する延長方向とに広がる板面を持つ板状の固定部と、前記固定部の前記延長方向の一端に連なる第１湾曲部と、前記固定部の前記延長方向の他端に連なる第２湾曲部とを有し、
前記第１湾曲部は、前記固定部の前記一端に連なる第１折り返し部分で折り返され、前記固定部の前記延長方向については前記一端の前記他端に関する反対側、前記固定部の板厚方向については前記第１折り返し部分の前記固定部に関する反対側に位置する、第１接点まで折り曲げ延長され、
前記第２湾曲部は、前記固定部の前記他端に連なる第２折り返し部分で折り返され、前記固定部の前記延長方向については前記他端の前記一端に関する反対側、前記固定部の板厚方向については第２前記折り返し部分の前記固定部に関する反対側に位置する、第２接点まで折り曲げ延長され
てなる形状のコンタクトであり、
前記コンタクトが前記コンタクト収容孔に収容されて、前記固定部は、前記延長方向が前記ハウジングの厚さ方向と平行となるように前記コンタクト収容孔の内面に固定されており、前記第１接点及び前記第２接点は、それぞれ前記コンタクト収容孔の一方及び他方の開口から突出している
ことを特徴とするコネクタ。
【請求項５】
前記第１接点が前記第１の接続対象物によって前記コンタクト収容孔側へ押し込まれたとき前記第１接点を受け容れる第１受容部が前記ハウジングに形成され、
前記第２接点が前記第２の接続対象物によって前記コンタクト収容孔側へ押し込まれたとき前記第２接点を受け容れる第２受容部が前記ハウジングに形成されている
ことを特徴とする請求項４記載のコネクタ。
【請求項６】
前記第１接点及び前記第２接点がそれぞれ円弧状に形成されていることを特徴とする請求項４又は５記載のコネクタ。
【請求項７】
第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、
前記コンタクトは、前記ハウジングに固定される板状の固定部と、前記固定部の板厚方向と直交する第１方向における前記固定部の一端に連なる第１湾曲部と、前記第１方向における前記固定部の他端に連なる第２湾曲部とを有し、
前記第１湾曲部の一端部は前記固定部の一端に連なる第１折り返し部分であり、前記第１湾曲部の他端部は前記第１の接続対象物に接触する第１接点であり、
前記第１折り返し部分は、前記固定部を通るとともに前記固定部の板厚方向に対して直交する仮想平面の一方の側に位置する第１領域に配置され、
前記第１接点は前記仮想平面の他方の側に位置する第２領域に配置され、
前記第２湾曲部の一端部は前記固定部の一端に連なる第２折り返し部分であり、前記第２湾曲部の他端部は前記第２の接続対象物に接触する第２接点であり、
前記第２折り返し部分は、前記仮想平面の他方の側に位置する第２領域に配置され、
前記第２接点は前記第１領域に配置され、
前記固定部は、前記第１方向が前記ハウジングの厚さ方向と平行となるように固定され、
前記第１接点は、前記コンタクト収容孔の一方の開口から突出し、
前記第２接点は、前記コンタクト収容孔の他方の開口から突出している
ことを特徴とするコネクタ。
【請求項８】
前記第１接点が前記第１の接続対象物によって前記コンタクト収容孔側へ押し込まれたとき前記第１接点を受け容れる第１受容部が前記ハウジングに形成され、
前記第２接点が前記第２の接続対象物によって前記コンタクト収容孔側へ押し込まれたとき前記第２接点を受け容れる第２受容部が前記ハウジングに形成されている
ことを特徴とする請求項７記載のコネクタ。
【請求項９】
前記第１接点及び前記第２接点がそれぞれ円弧状に形成されていることを特徴とする請求項７又は８記載のコネクタ。
【発明の詳細な説明】
【技術分野】
【０００１】
この発明は２つの接続対象物の間に介在して、接続対象物同士を電気的に接続するコネクタに関する。
【背景技術】
【０００２】
従来、ハウジングとほぼＳ字状に折り曲げられた複数の接触子とを備えている電気的コネクタが知られている（下記特許文献１参照）。
【０００３】
ハウジングは２つのプリント配線板の間に挟まれる。ハウジングには複数の接触子装着エリアが形成されている。
【０００４】
接触子は接触子装着エリアに収容されている。接触子は中央部と２つのスプリングアームとを有する。
【０００５】
中央部は接触子の中間に位置する。中央部は取付部を有する。取付部はハウジングに固定される。
【０００６】
湾曲する２つのスプリングアームは中央部を介して連結されている。
【０００７】
一方のスプリングアームの一端部は中央部の一端に連なり、一方のスプリングアームの他端部は接触子装着エリアの一方の開口から突出している。
【０００８】
他方のスプリングアームの一端部は中央部の他端に連なり、他方のスプリングアームの他端部は接触子装着エリアの他方の開口から突出している。
【０００９】
一方のスプリングアームの一端部は、中央部を通るハウジングの厚さ方向と平行な仮想平面の一方の側に位置する第１領域に配置され、一方のスプリングアームの他端部も、第１領域に配置されている。
【００１０】
他方のスプリングアームの一端部は、前記仮想平面の他方の側に位置する第２領域に配置され、他方のスプリングアームの他端部も、第２領域に配置されている。
【００１１】
この電気的コネクタを用いて２つのプリント配線板を電気的に接続するには、まず、一方のプリント配線板上の所定位置に電気的コネクタを配置する。
【００１２】
その後、一方のプリント配線板上の電気的コネクタを覆うように、他方のプリント配線板を電気的コネクタ上に配置する。
【００１３】
最後に、２つのプリント配線板をボルト、ナット等の締結手段を用いて連結する。ボルトをねじ込むと、２つのプリント配線板が電気的コネクタを挟みつける。
【００１４】
このとき、２つのスプリングアームはハウジングの方へ撓み、ばね力によって２つのスプリングアームの他端部がプリント配線板のパッドに押しつけられ、２つのプリント配線板が電気的に接続される。
【先行技術文献】
【特許文献】
【００１５】
【特許文献１】特開平７−２５４４６２号公報
【発明の概要】
【発明が解決しようとする課題】
【００１６】
上述のコネクタでは、２つのプリント配線板で電気的コネクタを挟みつけたとき、スプリングアームの他端部がハウジングの厚さ方向に対して斜めに押されて、スプリングアームが座屈（塑性変形）することがあった。
【００１７】
スプリングアームの他端部がハウジングの厚さ方向に対して斜めに押される原因として、電気的コネクタの組立時、ハウジングに取り付けられた接触子が傾いていることや、電気的コネクタの使用時、２つのプリント配線板で電気的コネクタを挟みつけたとき、プリント配線板が電気的コネクタに対して傾いていることなどを挙げることができる。
【００１８】
この発明はこのような事情に鑑みてなされたもので、その課題は、コンタクトの塑性変形を抑制することができるコネクタを提供することである。
【課題を解決するための手段】
【００１９】
前述の課題を解決するため請求項１の発明は、第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、前記コンタクトは、前記ハウジングに固定される板状の固定部と、この固定部を介して連結される第１、第２湾曲部とを有し、前記固定部の板厚方向が前記ハウジングの厚さ方向に対して直交し、前記第１湾曲部の一端部が折り曲げられて前記固定部の一端に連なり、前記第１湾曲部の他端部が前記コンタクト収容孔の一方の開口から突出し、前記第２湾曲部の一端部が折り曲げられて前記固定部の他端に連なり、前記第２湾曲部の他端部が前記コンタクト収容孔の他方の開口から突出し、前記第１湾曲部の一端部が、前記固定部を通り、前記ハウジングの厚さ方向と平行で、前記固定部の板厚方向に対して直交する仮想平面の一方の側に位置する第１領域に配置されるとともに前記コンタクト収容孔の他方の開口側の端部に位置し、前記第１湾曲部の他端部が、前記仮想平面の他方の側に位置する第２領域に配置され、前記第２湾曲部の一端部が、前記第２領域に配置されるとともに前記コンタクト収容孔の一方の開口側の端部に位置し、前記第２湾曲部の他端部が、前記第１領域に配置されていることを特徴とする。
【００２０】
上述のように、前記第１湾曲部の一端部が、前記固定部を通る前記ハウジングの厚さ方向と平行な仮想平面の一方の側に位置する第１領域に配置され、前記第１湾曲部の他端部が、前記仮想平面の他方の側に位置する第２領域に配置され、前記第２湾曲部の一端部が、前記第２領域に配置され、前記第２湾曲部の他端部が、前記第１領域に配置されているので、第１、第２湾曲部の他端部にハウジングの厚さ方向に対して斜め方向の力（従来のコネクタではコンタクトを座屈させるおそれのある方向の力）が作用しても回転モーメントが生じる。その結果、第１、第２湾曲部は弾性変形する。
【００２１】
請求項２の発明は、請求項１記載のコネクタにおいて、前記第１湾曲部の他端部が前記第１の接続対象物によって前記コンタクト収容孔側へ押し込まれたときその他端部を受け容れる第１受容部が前記ハウジングに形成され、前記第２湾曲部の他端部が前記第２の接続対象物によって前記コンタクト収容孔側へ押し込まれたときその他端部を受け容れる第２受容部が前記ハウジングに形成されていることを特徴とする。
【００２２】
請求項３の発明は、請求項１又は２記載のコネクタにおいて、前記第１、第２湾曲部の他端部がそれぞれ円弧状に形成されていることを特徴とする。
【００２３】
請求項４の発明は、第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、前記コンタクトは、前記コンタクトの幅方向とそれに直交する延長方向とに広がる板面を持つ板状の固定部と、前記固定部の前記延長方向の一端に連なる第１湾曲部と、前記固定部の前記延長方向の他端に連なる第２湾曲部とを有し、前記第１湾曲部は、前記固定部の前記一端に連なる第１折り返し部分で折り返され、前記固定部の前記延長方向については前記一端の前記他端に関する反対側、前記固定部の板厚方向については前記第１折り返し部分の前記固定部に関する反対側に位置する、第１接点まで折り曲げ延長され、前記第２湾曲部は、前記固定部の前記他端に連なる第２折り返し部分で折り返され、前記固定部の前記延長方向については前記他端の前記一端に関する反対側、前記固定部の板厚方向については第２前記折り返し部分の前記固定部に関する反対側に位置する、第２接点まで折り曲げ延長されてなる形状のコンタクトであり、前記コンタクトが前記コンタクト収容孔に収容されて、前記固定部は、前記延長方向が前記ハウジングの厚さ方向と平行となるように前記コンタクト収容孔の内面に固定されており、前記第１接点及び前記第２接点は、それぞれ前記コンタクト収容孔の一方及び他方の開口から突出していることを特徴とする。
【００２４】
請求項５の発明は、請求項４記載のコネクタにおいて、前記第１接点が前記第１の接続対象物によって前記コンタクト収容孔側へ押し込まれたとき前記第１接点を受け容れる第１受容部が前記ハウジングに形成され、前記第２接点が前記第２の接続対象物によって前記コンタクト収容孔側へ押し込まれたとき前記第２接点を受け容れる第２受容部が前記ハウジングに形成されていることを特徴とする。
【００２５】
請求項６の発明は、請求項４又は５記載のコネクタにおいて、前記第１接点及び前記第２接点がそれぞれ円弧状に形成されていることを特徴とする。
【００２６】
請求項７の発明は、第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、前記コンタクトは、前記ハウジングに固定される板状の固定部と、前記固定部の板厚方向と直交する第１方向における前記固定部の一端に連なる第１湾曲部と、前記第１方向における前記固定部の他端に連なる第２湾曲部とを有し、前記第１湾曲部の一端部は前記固定部の一端に連なる第１折り返し部分であり、前記第１湾曲部の他端部は前記第１の接続対象物に接触する第１接点であり、前記第１折り返し部分は、前記固定部を通るとともに前記固定部の板厚方向に対して直交する仮想平面の一方の側に位置する第１領域に配置され、前記第１接点は前記仮想平面の他方の側に位置する第２領域に配置され、前記第２湾曲部の一端部は前記固定部の一端に連なる第２折り返し部分であり、前記第２湾曲部の他端部は前記第２の接続対象物に接触する第２接点であり、前記第２折り返し部分は、前記仮想平面の他方の側に位置する第２領域に配置され、前記第２接点は前記第１領域に配置され、前記固定部は、前記第１方向が前記ハウジングの厚さ方向と平行となるように固定され、前記第１接点は、前記コンタクト収容孔の一方の開口から突出し、前記第２接点は、前記コンタクト収容孔の他方の開口から突出していることを特徴とする。
【００２７】
請求項８の発明は、請求項７記載のコネクタにおいて、前記第１接点が前記第１の接続対象物によって前記コンタクト収容孔側へ押し込まれたとき前記第１接点を受け容れる第１受容部が前記ハウジングに形成され、前記第２接点が前記第２の接続対象物によって前記コンタクト収容孔側へ押し込まれたとき前記第２接点を受け容れる第２受容部が前記ハウジングに形成されていることを特徴とする。
【００２８】
請求項９の発明は、請求項７又は８記載のコネクタにおいて、前記第１接点及び前記第２接点がそれぞれ円弧状に形成されていることを特徴とする。
【発明の効果】
【００２９】
この発明によれば、コンタクトの塑性変形を抑制することができる。
【図面の簡単な説明】
【００３０】
【図１】図１はこの発明の一実施形態のコネクタの斜視図である。
【図２】図２は図１に示すコネクタの正面図である。
【図３】図３は図１に示すコネクタの平面図である。
【図４】図４は図１に示すコネクタの底面図である。
【図５】図５は図１に示すコネクタの側面図である。
【図６】図６は図３に示すVI−VI線に沿う断面図である。
【図７】図７は図１に示すコネクタのコンタクトの斜視図である。
【図８】図８は図７に示すコンタクトの正面である。
【図９】図９は図７に示すコンタクトの側面図である。
【図１０】図１０は図１に示すコネクタの第１領域及び第２領域を示す概念図である。
【図１１】図１に示すコネクタの使用状態を示す正面図であり、コネクタのハウジングだけは図３のVI−VI線に沿う断面で示されている図である。
【発明を実施するための形態】
【００３１】
以下、この発明の実施の形態を図面に基づいて説明する。
【００３２】
図１、図１１に示すように、コネクタ１はハウジング３と複数のコンタクト５とを備える。コネクタ１は半導体装置（第１の接続対象物）２１とプリント基板（第２の接続対象物）２２とを電気的に接続する。
【００３３】
半導体装置２１とプリント基板２２との間に挟まれるハウジング３を図１〜６に示した。ハウジング３は絶縁性の樹脂で一体に成形され、ハウジング本体３１と第１枠状部３３と第２枠状部３４と第３枠状部３５とを有する。
【００３４】
ハウジング本体３１は直方体状であり、ハウジング本体３１には複数のコンタクト収容孔３１１が２次元に並ぶように形成されている。コンタクト収容孔３１１はハウジング本体３１の厚さ方向に沿ってハウジング本体３１を貫通している。コンタクト収容孔３１１の横断面形状は四角形である。
【００３５】
ハウジング本体３１の上面の周縁部には方形の第１枠状部３３が連なる。第１枠状部３３で囲まれた空間がコンタクト受容部（第１受容部）３３１である。
【００３６】
第１枠状部３３の上面の周縁部には方形の第２枠状部３４が連なる。第２枠状部３４の相対する内壁面間の長さは第１枠状部３３の相対する内壁面間の長さよりも長い。第２枠状部３４で囲まれた空間が半導体装置受容部３４１である。
【００３７】
ハウジング本体３１の下面の周縁部には第３枠状部３５が連なる。第３枠状部３５で囲まれた空間はコンタクト受容部（第２受容部）３５１である。
【００３８】
第３枠状部３５の下面には第１、第２位置決めボス３６，３７が形成されている。第１、第２位置決めボス３６，３７は第３枠状部３５の対角線上にある。第１位置決めボス３６の外径は第２位置決めボス３７の外径よりも小さい。
【００３９】
図７、図８、図９に示すように、コンタクト５はほぼＳ字状に折り曲げられ、コンタクト収容孔３１１に収容される。コンタクト５は固定部５１と第１湾曲部５３と第２湾曲部５４とを有し、１つの金属板に打抜き加工及び曲げ加工を施すことによって形成される。
【００４０】
固定部５１はコンタクト５の中間に位置し、コンタクト５の幅方向へ突出する圧入部分５１２を有する。コンタクト５を第１接点５３２を上にしてハウジング３の下方からコンタクト収容孔３１１に挿入（圧入）すると、圧入部分５１２がコンタクト収容孔３１１の内面に食い込み、コンタクト５がハウジング３に固定される。
【００４１】
第１湾曲部５３と第２湾曲部５４とは固定部５１を介して連結されている。
【００４２】
第１湾曲部５３の一端部には折返し部分５３１が形成され、第１湾曲部５３の他端部には第１接点５３２が形成されている。折返し部分５３１はほぼＵ字形に折り曲げられ、固定部５１の一端に連なる。第１接点５３２は円弧状に折り曲げられている。第１接点５３２はコンタクト収容孔３１１の一方の開口３１１ａ（図６参照）から突出している。
【００４３】
第２湾曲部５４の一端部には折返し部分５４１が形成され、第２湾曲部５４の他端部には第２接点５４２が形成されている。折返し部分５４１はほぼＵ字形に折り曲げられ、固定部５１の他端に連なる。第２接点５４２は円弧状に折り曲げられている。第２接点５４２はコンタクト収容孔３１１の他方の開口３１１ｂ（図６参照）から突出している。
【００４４】
図１０に示すように、コンタクト５の固定部５１を通るハウジング３の厚さＴ方向と平行な仮想平面Ｓ（図１０の図面に垂直な面であり、同図中には直線で現れている）の一方の側の領域が第１の領域Ａであり、仮想平面Ｓの他方の側の領域が第２の領域Ｂである。
【００４５】
第１接点５３２は、第２領域Ｂに位置し、コンタクト収容孔３１１の内壁面３１１ｄ（図１０参照）を通るハウジング３の厚さＴ方向と平行な仮想平面ＳＣ２（図１０の図面に垂直な面であり、同図中には直線で現れている）と仮想平面Ｓとの間に位置する。第２接点５４２は、第１領域Ａに位置し、コンタクト収容孔３１１の内壁面３１１ｃ（図１０参照）を通るハウジング３の厚さＴ方向と平行な仮想平面ＳＣ１（図１０の図面に垂直な面であり、同図中には直線で現れている）と仮想平面Ｓとの間に位置する。
【００４６】
第１湾曲部５３の折返し部分５３１（第１湾曲部５３の一端部）は第１領域Ａに配置され、第１湾曲部５３の第１接点５３２（第１湾曲部５３の他端部）は第２領域Ｂに配置されている。
【００４７】
また、第２湾曲部５４の折返し部分５４１（第２湾曲部５４の一端部）が第２領域Ｂに配置され、第２湾曲部５４の第２接点５４２（第２湾曲部５４の他端部）が第１領域Ａに配置されている。
【００４８】
次に、コネクタ１の使用方法について説明する。
【００４９】
まず、図１１に示すように、下プレート（例えば補強板）８上にプリント基板２２を配置する。このとき、下プレート８のボルト挿入孔８１にプリント基板２２のボルト挿入孔２２１が重なるようにする。
【００５０】
次に、コネクタ１の第１位置決めボス３６をプリント基板２２の位置決め孔２２３に、コネクタ１の第２位置決めボス３７をプリント基板２２の位置決め孔２２４にそれぞれ挿入する。このとき、プリント基板２２上のコネクタ１の向きが正しくないと、第２位置決めボス３７を位置決め孔２２３に挿入できない。
【００５１】
コネクタ１をプリント基板２２上に配置した後、半導体装置２１をコネクタ１の半導体装置受容部３４１内に収める。半導体装置２１はハウジング３の第１枠状部３３の上面で支持されるとともに、第２枠状部３４の内周面によってハウジング３に対して位置決めされる。
【００５２】
次に、半導体装置２１上に上プレート７（例えばヒートシンク）を配置する。
【００５３】
その後、ボルト２３を上プレート７、プリント基板２２及び下プレート８のボルト挿入孔７１，２２１，８１に挿入し、ボルト２３のボルト挿入孔８１から突出した部分にナット２４を装着する。
【００５４】
最後に、ナット２４をねじ込む。
【００５５】
ナット２４をボルト２３にねじ込むと、コンタクト５の第１、第２湾曲部５３，５４は弾性変形する。
【００５６】
もし半導体装置２１がハウジング３に対して傾き、ハウジング３の厚さ方向Ｔに対して斜め方向の力Ｆ１（図１０参照）が第１接点５３２に作用したとしても、コンタクト５の折返し部分５３１は第１領域Ａ（図１０参照）にあり、第１接点５３２は第２領域Ｂ（図１０参照）にあるので、斜め方向の力Ｆ１の分力Ｆ１Tが第１接点５３２に作用し、固定部５１を中心にしてコンタクト５を回転させようとする回転モーメントが生じ、第１湾曲部５３は弾性変形する。その結果、第１湾曲部５３のばね力によって第１接点５３２は半導体装置２１の電極部（図示せず）に押し付けられる。
【００５７】
もしプリント配線板２２がハウジング３に対して傾き、ハウジング３の厚さ方向Ｔに対して斜め方向の力Ｆ２（図１０参照）が第２接点５４２に作用したとしても、コンタクト５の折返し部分５４１は第２領域Ｂ（図１０参照）にあり、第２接点５４２は第１領域Ａ（図１０参照）にあるので、斜め方向の力Ｆ２の分力Ｆ２Tが第２接点５４２に作用し、固定部５１を中心にしてコンタクト５を回転させようとする回転モーメントが生じ、この回転モーメントによって第２湾曲部５４は弾性変形する。その結果、第２湾曲部５４のばね力によって第２接点５４２はプリント基板２２のパッド（図示せず）に押し付けられる。
【００５８】
以上のようにして半導体装置２１とプリント基板２２とが電気的に接続される。
【００５９】
この実施形態によれば、コンタクト５の塑性変形を抑制することができる。
【００６０】
また、ハウジング３にコンタクト受容部３３１，３５１が形成されているので、上プレート７と下プレート８との間隔を調節するスペーサを用いなくても第１，第２湾曲部５３，５４がハウジング３に干渉するのを防止することができる。
【００６１】
更に、第１、第２接点５３２，５４２が円弧状に形成されているので、弾性変形し易い。また、半導体装置２１の電極部やプリント基板２２のパッドの損傷を抑制することができる。
【００６２】
更に、ハウジング３に第２枠状部３４が設けられているので、半導体装置２１をコンタクト５に対して正確に位置決めすることができる。
【００６３】
また、第１接点５３２が第２領域Ｂに位置し、仮想平面ＳＣ２と仮想平面Ｓとの間に位置し、第２接点５４２が第１領域Ａに位置し、仮想平面ＳＣ１と仮想平面Ｓとの間に位置するので、コンタクト５をコンタクト収容孔３１１に容易に挿入でき、コネクタ１の組立が簡単になる。
【００６４】
なお、この実施形態では、第１接続対象物が半導体装置２１で、第２接続対象物がプリント基板２２であるが、第１接続対象物は半導体装置２１に限られず、また、第２接続対象物はプリント基板２２に限られない。
【００６５】
また、第１接点５３２は第２領域Ｂに位置すればよく、仮想平面ＳＣ２と仮想平面Ｓとの間になくともよい。第２接点５４２は第１領域Ａに位置すればよく、仮想平面ＳＣ１と仮想平面Ｓとの間になくともよい。
【００６６】
なお、この実施形態では、ハウジング３にコンタクト受容部３３１，３５１を設けたが、コンタクト受容部３３１，３５１は必ずしも必要ではない。
【００６７】
また、この実施形態では、第１、第２湾曲部５３，５４の他端部に円弧状の第１、第２接点５３２，５４２を形成したが、第１、第２接点５３２，５４２は必ずしも円弧状にする必要はない。
【符号の説明】
【００６８】
１  コネクタ
３  ハウジング
３１  ハウジング本体
３１１  コンタクト収容孔
３１１ａ  一方の開口
３１１ｂ  他方の開口
３３１，３５１  コンタクト受容部
５  コンタクト
５１  固定部
５３  第１湾曲部
５３１  折返し部分（一端部）
５３２  第１接点（他端部）
５４  第２湾曲部
５４１  折返し部分（一端部）
５４２  第２接点（他端部）
Ｔ  ハウジング３の厚さ方向
Ｓ  仮想平面
Ａ  第１領域
Ｂ  第２領域
【図１】
2014222677.tif 000003
【図２】
2014222677.tif 000004
【図３】
2014222677.tif 000005
【図４】
2014222677.tif 000006
【図５】
2014222677.tif 000007
【図６】
2014222677.tif 000008
【図７】
2014222677.tif 000009
【図８】
2014222677.tif 000010
【図９】
2014222677.tif 000011
【図１０】
2014222677.tif 000012
【図１１】
2014222677.tif 000013
【手続補正書】
【提出日】平成26年9月29日(2014.9.29)
【手続補正１】
【補正対象書類名】明細書
【補正対象項目名】００２６
【補正方法】変更
【補正の内容】
【００２６】
請求項７の発明は、第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、前記コンタクトは、前記ハウジングに固定される板状の固定部と、前記固定部の板厚方向と直交する第１方向における前記固定部の一端に連なる第１湾曲部と、前記第１方向における前記固定部の他端に連なる第２湾曲部とを有し、前記第１湾曲部の一端部は前記固定部の一端に連なる第１折り返し部分であり、前記第１湾曲部の他端部は前記第１の接続対象物に接触する第１接点であり、前記第１折り返し部分は、前記固定部を通るとともに前記固定部の板厚方向に対して直交する仮想平面の一方の側に位置する第１領域に配置され、前記第１接点は前記仮想平面の他方の側に位置する第２領域に配置され、前記第２湾曲部の一端部は前記固定部の他端に連なる第２折り返し部分であり、前記第２湾曲部の他端部は前記第２の接続対象物に接触する第２接点であり、前記第２折り返し部分は、前記仮想平面の他方の側に位置する第２領域に配置され、前記第２接点は前記第１領域に配置され、前記固定部は、前記第１方向が前記ハウジングの厚さ方向と平行となるように固定され、前記第１接点は、前記コンタクト収容孔の一方の開口から突出し、前記第２接点は、前記コンタクト収容孔の他方の開口から突出していることを特徴とする。
【手続補正２】
【補正対象書類名】特許請求の範囲
【補正対象項目名】請求項７
【補正方法】変更
【補正の内容】
【請求項７】
第１の接続対象物と第２の接続対象物とで挟まれるハウジングと、このハウジングの厚さ方向に沿って貫通するように前記ハウジングに形成されたコンタクト収容孔に収容されるほぼＳ字状に折り曲げられたコンタクトとを備えているコネクタにおいて、
前記コンタクトは、前記ハウジングに固定される板状の固定部と、前記固定部の板厚方向と直交する第１方向における前記固定部の一端に連なる第１湾曲部と、前記第１方向における前記固定部の他端に連なる第２湾曲部とを有し、
前記第１湾曲部の一端部は前記固定部の一端に連なる第１折り返し部分であり、前記第１湾曲部の他端部は前記第１の接続対象物に接触する第１接点であり、
前記第１折り返し部分は、前記固定部を通るとともに前記固定部の板厚方向に対して直交する仮想平面の一方の側に位置する第１領域に配置され、
前記第１接点は前記仮想平面の他方の側に位置する第２領域に配置され、
前記第２湾曲部の一端部は前記固定部の他端に連なる第２折り返し部分であり、前記第２湾曲部の他端部は前記第２の接続対象物に接触する第２接点であり、
前記第２折り返し部分は、前記仮想平面の他方の側に位置する第２領域に配置され、
前記第２接点は前記第１領域に配置され、
前記固定部は、前記第１方向が前記ハウジングの厚さ方向と平行となるように固定され、
前記第１接点は、前記コンタクト収容孔の一方の開口から突出し、
前記第２接点は、前記コンタクト収容孔の他方の開口から突出している
ことを特徴とするコネクタ。